(57)【要約】【課題】本発明は、表示部を覆うように配置される光透過性のカバー部における破損の可能性が低減された電子機器を提供することを目的とする。【解決手段】携帯電話機１は、操作キー群１１が配置される操作面２Ａを有する操作部側筐体２と、表示部２１が配置される表示面３Ａを有する表示部側筐体３と、操作部側筐体２と表示部側筐体３とを開閉可能に連結する連結部４と、表示部２１とは異なる部分である保持部２０５に保持される被保持部を有する光透過性のフロントパネル３ａと、操作面２Ａにおける操作キー群１１とは異なる部分に形成され、平坦状である当接部１２０ａ、１２０ｂと、傾斜部１３０ａ、１３０ｂと、を有する突起部１１０ａ、１１０ｂと、を備える。【選択図】図７
2009260461.tif 000002
【特許請求の範囲】
【請求項１】
操作部が配置される操作面を有する操作部側筐体と、
表示部が配置される表示面を有する表示部側筐体と、
前記操作部側筐体と前記表示部側筐体とを前記操作面と前記表示面が互いに向かい合うようして近接配置される閉状態と前記操作面と前記表示面とが互いに離間して配置される開状態とに変形可能に連結する連結部と、
前記表示部を覆うように配置され、前記表示部とは異なる部分である保持部に保持される被保持部を有する光透過性のカバー部と、
前記操作面における前記操作部とは異なる部分に形成される突起部であって、前記閉状態において前記被保持部に対向する対向部と、前記被保持部とは異なる部分から離間して配置される離間部と、を有する突起部と、を備える
電子機器。
【請求項２】
前記離間部は、所定方向に向かうにしたがって前記操作部側筐体の厚さ方向における突出長さが短くなるよう傾斜する
請求項１に記載の電子機器。
【請求項３】
前記操作部は、前記操作面における中央部に配置され、
前記突起部は、前記操作面における前記中央部の周囲に形成される外縁部に形成され、
前記離間部は、前記対向部から前記操作部に向かうにしたがって前記突出長さが短くなるように傾斜する
請求項２に記載の電子機器。
【請求項４】
前記操作部は、複数の操作キーを有して構成され、
前記突起部は、前記複数の操作キーのうち所定の操作キーに近接して配置される
請求項１から３のいずれかに記載の電子機器。
【請求項５】
前記所定の操作キーは、所定の機能を動作させる役割又は停止させる役割が割り当てられたキーである
請求項４に記載の電子機器。
【請求項６】
前記突起部は、前記所定の操作キーに対する指標として機能する
請求項５に記載の電子機器。
【請求項７】
前記対向部は、前記閉状態において前記被保持部に当接され頂部が平坦状である
請求項１から６のいずれかに記載の電子機器。
【発明の詳細な説明】
【技術分野】
【０００１】
本発明は、携帯電話機等の電子機器に関する。詳細には、開閉可能に連結される２つの筐体を有する電子機器に関する。
【背景技術】
【０００２】
従来、表示部を有する第１筐体と操作部を有する第２筐体とが連結部により開閉可能に連結された電子機器としての携帯電話機において、表示部のパネルと操作部におけるキーの天面とが当接することでパネルに傷がつく場合があった。
【０００３】
これに対し、操作部の周囲に突起を形成することで、閉状態において、表示部のパネルと操作部におけるキーの天面とが当接することを抑制する携帯電話機が提案されている（例えば、特許文献１参照）。
【特許文献１】特開２００３−２６４６１７号公報
【発明の開示】
【発明が解決しようとする課題】
【０００４】
しかし、近年、表示部に多くの画像や文字を表示させるため、表示部が大きくなってきている。このため、操作部の周囲に形成された突起は、表示部におけるパネルに当接される場合がある。これにより、例えば、携帯電話機が落下した場合、突起部の先端がパネルに強くぶつかることでパネルに割れが生じる場合があった。
【０００５】
本発明は、表示部を覆うように配置される光透過性のカバー部における破損が抑制された電子機器を提供することを目的とする。
【課題を解決するための手段】
【０００６】
本発明は、操作部が配置される操作面を有する操作部側筐体と、表示部が配置される表示面を有する表示部側筐体と、前記操作部側筐体と前記表示部側筐体とを前記操作面と前記表示面が互いに向かい合うようして近接配置される閉状態と前記操作面と前記表示面とが互いに離間して配置される開状態とに変形可能に連結する連結部と、前記表示部を覆うように配置され、前記表示部とは異なる部分である保持部に保持される被保持部を有する光透過性のカバー部と、前記操作面における前記操作部とは異なる部分に形成される突起部であって、前記閉状態において前記被保持部に対向する対向部と、前記被保持部とは異なる部分から離間して配置される離間部と、を有する突起部と、を備える電子機器に関する。
【０００７】
また、前記離間部は、所定方向に向かうにしたがって前記操作部側筐体の厚さ方向における突出長さが短くなるよう傾斜することが好ましい。
【０００８】
また、前記操作部は、前記操作面における中央部に配置され、前記突起部は、前記操作面における前記中央部の周囲に形成される外縁部に形成され、前記離間部は、前記対向部から前記操作部に向かうにしたがって前記突出長さが短くなるように傾斜することが好ましい。
【０００９】
また、前記操作部は、複数の操作キーを有して構成され、前記突起部は、前記複数の操作キーのうち所定の操作キーに近接して配置されることが好ましい。
【００１０】
また、前記所定の操作キーは、所定の機能を動作させる役割又は停止させる役割が割り当てられたキーであることが好ましい。
【００１１】
また、前記突起部は、前記所定の操作キーに対する指標として機能することが好ましい。
【００１２】
また、前記対向部は、前記閉状態において前記被保持部に当接され頂部が平坦状であることが好ましい。
【発明の効果】
【００１３】
本発明によれば、表示部を覆うように配置される光透過性のカバー部における破損が抑制された電子機器を提供することができる。
【発明を実施するための最良の形態】
【００１４】
以下、図面を参照して本発明を実施するための最良の形態を説明する。
図１及び図２により、電子機器としての携帯電話機１における基本構造を説明する。図１は、携帯電話機１における開状態の外観斜視図である。図２は、携帯電話機１における閉状態の外観斜視図である。
【００１５】
図１及び図２に示すように、携帯電話機１は、操作部としての操作キー群１１が配置される操作面２Ａを有する操作部側筐体２と、表示部２１が配置される表示面３Ａを有する表示部側筐体３と、操作部側筐体２と表示部側筐体３とを操作面２Ａと表示面３Ａが互いに向かい合うようして近接配置される閉状態（図１参照）と操作面２Ａと表示面３Ａとが互いに離間して配置される開状態（図２参照）とに変形可能に連結するヒンジ機構を有する連結部４と、を備える。つまり、操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。
【００１６】
操作部側筐体２は、外面がフロントケース２ａとリアケース２ｂとにより構成される。操作部側筐体２は、操作面２Ａ側に配置される操作キー群１１と、携帯電話機１の使用者が通話時に発した音声が入力されるマイクとしての音声入力部１２とを有する。また、操作部側筐体２は、操作面２Ａ側における操作キー群１１を構成する複数の入力操作キー１４が配置された領域における幅方向Ｘ外側（Ｘ１、Ｘ２）に形成される突起部１１０ａ、１１０ｂを有する。
【００１７】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１８】
音声入力部１２は、操作部側筐体２の長手方向における連結部４側と反対の外端部側に配置される。つまり、音声入力部１２は、携帯電話機１が開状態において一方の外端部側に配置される。
【００１９】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２０】
表示部側筐体３は、外面がカバー部としてのフロントパネル３ａと、フロントケース３ｂと、リアケース３ｃと、リアパネル３ｄとにより構成される。表示部側筐体３におけるフロントケース３ｂには、各種情報を表示するための表示部２１と、通話の相手側の音声を出力するレシーバとしての音声出力部２２と、が露出するように配置される。ここで、表示部２１は、液晶パネルと、この液晶パネルを駆動する駆動回路と、この液晶パネルの背面側から光を照射するバックライト等の光源部とから構成される。
【００２１】
次いで、図３及び図４により、操作部側筐体２及び表示部側筐体３の内部構造について説明する。図３は、操作部側筐体２に内蔵される部材の分解斜視図である。図４は、表示部側筐体３に内蔵される部材の分解斜視図である。
【００２２】
図２に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える回路基板７０と、バッテリリッド２ｃを備えたリアケース２ｂと、バッテリ８０と、メインアンテナ部９０とを備える。ここで、フロントケース２ａにおける操作面２Ａには、後述のキー孔１４ａの外周部１００に突起部１１０ａ、１１０ｂが形成される。この突起部１１０ａ、１１０ｂについては後に詳述する。
【００２３】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、回路基板７０とが挟まれるようにして内蔵される。
【００２４】
フロントケース２ａには、携帯電話機１を折り畳んだ状態（閉状態）で表示部側筐体３の表示部２１と対向する操作面２Ａに、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００２５】
キー構造部４０は、操作部材４０Ａと、補強部材としてのキーフレーム４０Ｂと、シート部材としてのキーシート４０Ｃと、により構成される。
【００２６】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００２７】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００２８】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００２９】
キー基板５０は、キーシート４０Ｃ側に配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。なお、キー基板５０は、複数の絶縁層（絶縁フィルム）の間に配線を挟み込んだものである。
【００３０】
キー基板５０がケース体６０における平板部６１に載置されるので、操作部材４０Ａそれぞれが押圧されることによる圧力や撓みは、ケース体６０の下方に配置される回路基板７０に伝達されにくい。
【００３１】
ケース体６０は、薄型の直方体における一の広い面が開口した形状を有する導電性の部材である。ケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００３２】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００３３】
回路基板７０には、後述するメインアンテナ部９０や不図示のサブアンテナ部が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００３４】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
【００３５】
メインアンテナ部９０は、基台上に所定形状のアンテナエレメントが配置されることにより構成される。メインアンテナ部９０は、携帯電話機１における連結部４側と反対の端部側に配置される。このメインアンテナ部９０のアンテナエレメントは、帯状の板金により形成される。また、メインアンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００３６】
リアケース２ｂの一端側（図３において）には、取り外し可能なバッテリリッド２ｃが設けられており、バッテリ８０をリアケース２ｂの外側から収納した後、リアケース２ｂに装着される。また、リアケース２ｂにおける一端側には、ユーザの音声を入力する不図示の音声入力部１２が収容される。
【００３７】
図４に示すように、表示部側筐体３は、光透過性（透明）のフロントパネル３ａと、音声出力部２２と、フロントケース３ｂと、表示部２１と、表示部２１が接続されたプリント基板８５と、リアケース３ｃと、リアパネル３ｄと、を備える。
【００３８】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００３９】
そして、フロントケース３ｂとリアケース３ｃとの間には、表示部２１が接続されたプリント基板８５が挟まれるようにして内蔵される。プリント基板８５には、不図示のアンプと接続されるスピーカが接続される。
【００４０】
フロントケース３ｂには、表示部２１における表示画面２１Ａを露出させる開口部２００と、開口部２００の外周に形成される保持部２０５とが形成される。開口部２００は、フロントパネル３ａの外周よりも一回り小さく形成される。
【００４１】
フロントパネル３ａは、該フロントパネル３ａの外周部分であるパネル外周部２５０が保持部２０５に載置された状態で固定される。フロントパネル３ａは、パネル外周部２５０と保持部２０５との間に配置された接着部材としての粘着テープ２１０によりフロントケース３ｂに固定される。
【００４２】
フロントパネル３ａにおけるパネル中央部２５１は、開口部２００に対応して配置される。つまり、フロントパネル３ａにおけるパネル中央部２５１は、開口部２００から露出される表示面３Ａに対向して近接配置される。
【００４３】
ここで、閉状態においてフロントパネル３ａに対向して配置される操作キー群１１を構成する機能設定操作キー部材１３ｂ、入力操作キー部材１４ｂや決定操作キー部材１５ｂが当接すること傷等が生じることを抑制するため、上述の突起部１１０ａ、１１０ｂが形成される。
【００４４】
続けて、図５から図７により、突起部１１０ａ、１１０ｂについて説明する。
図５は、突起部１１０ａを説明するための部分拡大図である。図６は、突起部１１０ｂを説明するための部分拡大図である。図７は、図２におけるＸ―Ｘ断面図である。
【００４５】
図５に示すように、突起部１１０ａは、操作部側筐体２における外周部１００に形成される。突起部１１０ａは、操作キー群１１を構成する所定の操作キーとしての操作キー４００に隣接して形成される。ここで、操作キー４００は、携帯電話機１における主電源をオン／オフ（長押しで動作する）させる役割や通話機能による通話状態を停止させる役割等が割り当てられている。携帯電話機１が開状態において、突起部１１０ａは、操作キー４００を探す指標として機能する。例えば、盲目のユーザによる使用や暗闇での使用において、突起部１１０ａは、主電源をオン／オフさせる操作キー４００を探す指標として機能する。
【００４６】
図５に示すように、突起部１１０ａは、幅方向Ｘにおける外側（Ｘ１側）に形成される当接部１２０ａと、幅方向Ｘにおける内側（Ｘ２側）に形成される離間部としての傾斜部１３０ａと、を有する。
【００４７】
図７に示すように、当接部１２０ａは、傾斜部１３０ａよりも厚さ方向ＺにおけるＺ１側（図７においてはフロントパネル３ａ側）に突出する部分である。当接部１２０ａの頂部は、平坦状に形成される。
【００４８】
当接部１２０ａは、該携帯電話機１が閉状態において、フロントパネル３ａにおけるパネル外周部２５０に当接する。言い換えると、当接部１２０ａは、フロントパネル３ａにおける保持部２０５により保持された部分（被保持部）に当接する。更には、当接部１２０ａは、パネル外周部２５０を厚さ方向ＺにおけるＺ１側に押圧するように当接する。また、当接部１２０ａは、パネル外周部２５０を保持部２０５と共に挟持するように配置される。
【００４９】
図７に示すように、傾斜部１３０ａは、当接部１２０ａよりも厚さ方向ＺにおけるＺ１側に突出していない部分である。傾斜部１３０ａは、当接部１２０ａよりも厚さ方向Ｚにおいて長さが短い（高さが低い）部分である。
【００５０】
傾斜部１３０ａは、所定の勾配で幅方向Ｘにおける内側（Ｘ２側）に向かうにしたがって突出長さ（厚さ方向Ｚへの長さ）が短くなるように形成される。傾斜部１３０ａは、該携帯電話機１が閉状態において、フロントパネル３ａにおけるパネル中央部２５１と対向して配置される。傾斜部１３０ａは、該携帯電話機１が閉状態において、パネル中央部２５１から離間して配置される。
【００５１】
突起部１１０ａは、該携帯電話機１が閉状態において、フロントパネル３ａに対向して配置される操作キー群１１を構成する機能設定操作キー部材１３ｂ、入力操作キー部材１４ｂや決定操作キー部材１５ｂが当接することで生じるフロントパネル３ａの破損等を抑制する機能を有する。更には、突起部１１０ａは、該突起部１１０ａがパネル中央部２５１に当接することで生じるフロントパネル３ａの割れを抑制するように構成される。
【００５２】
また、図６に示すように、突起部１１０ｂは、操作部側筐体２における外周部１００に形成される。突起部１１０ｂは、操作キー群１１を構成する所定の操作キーとしての操作キー４１０に隣接して形成される。ここで、操作キー４１０は、通話機能における電話番号を発呼させる役割等が割り当てられている。携帯電話機１が開状態において、突起部１１０ｂは、操作キー４１０を探す指標として機能する。例えば、盲目のユーザによる使用や暗闇での使用において、突起部１１０ｂは、電話番号を発呼させる操作キー４１０を探す指標として機能する。
【００５３】
図６に示すように、突起部１１０ａは、突起部１１０ａと同様に、幅方向Ｘにおける外側（Ｘ２側）に形成される当接部１２０ｂと、幅方向Ｘにおける内側（Ｘ１側）に形成される離間部としての傾斜部１３０ｂと、を有する。ここで、当接部１２０ｂと傾斜部１３０ｂとは、上述の当接部１２０ａと傾斜部１３０ｂと同様の構成であるため説明を省略する。
【００５４】
突起部１１０ａ、１１０ｂは、表示部側筐体３における開閉動作により撓みやすい位置に対応して形成される。
【００５５】
続けて、携帯電話機１における作用について説明する。
まず、携帯電話機１が開状態において、突起部１１０ａ、１１０ｂは、所定の操作キーについての指標として機能する。
具体的には、ユーザは、主電源のオン／オフをする場合、突起部１１０ａを指標として操作キー４００を探す。詳細には、ユーザは、外周部１００に指をスライドさせることで突起部１１０ａを探すと共に、探しだされた突起部１１０ａに隣接する操作キー４００を押下する。
【００５６】
次いで、携帯電話機１が閉状態において、突起部１１０ａ、１１０ｂは、フロントパネル３ａに対向して配置される操作キー群１１を構成する機能設定操作キー部材１３ｂ、入力操作キー部材１４ｂや決定操作キー部材１５ｂが当接することで生じるフロントパネル３ａの破損等を抑制する機能を有する。更には、突起部１１０ａは、突起部１１０ａがパネル中央部１５１に当接することで生じるフロントパネル３ａの割れを抑制する。
【００５７】
具体的には、携帯電話機１が開状態から閉状態に変形された場合、突起部１１０ａ、１１０ｂにおける当接部１２０ａ、１２０ｂは、フロントパネル３ａにおけるパネル外周部２５０に衝突するように当接される。ここで、傾斜部１３０ａ、１３０ｂは、該携帯電話機１を開状態から閉状態に変形した場合でも、フロントパネル３ａに当接されない。
【００５８】
突起部１１０ａ、１１０ｂにおいて、当接部１２０ａ、１２０ｂだけがフロントパネル３ａに衝突（当接）される。そして、当接部１２０ａ、１２０ｂは、フロントパネル３ａにおける保持部２０５により保持されたパネル外周部２５０に衝突する。これにより、突起部１１０ａ、１１０ｂが保持部２０５により保持されないパネル中央部２５１も含む所定部分に衝突した場合に比べてフロントパネル３ａに生じる破損は抑制される。
【００５９】
本実施形態によれば、突起部１１０ａ、１１０ｂには、閉状態においてパネル中央部２５１から離間する傾斜部１３０ａ、１３０ｂを形成している。これにより、フロントパネル３ａに対する操作キー群１１を構成する機能設定操作キー部材１３ｂ、入力操作キー部材１４ｂや決定操作キー部材１５ｂが当接することで生じるフロントパネル３ａの破損等を抑制すると共に、突起部１１０ａ、１１０ｂの一部が当接することで生じる破損等を抑制できる。
【００６０】
また、本実施形態によれば、突起部１１０ａ、１１０ｂに傾斜部１３０ａ、１３０ｂを形成するだけで、簡易に上述の効果を得ることができる。
【００６１】
また、本実施形態によれば、従来の突起部と大きな概観上の変化がなく上述の効果を得ることができるので、携帯電話機１全体のデザインに与える影響が少ない態様で上述の効果を得ることができる。
【００６２】
また、本実施形態によれば、突起部１１０ａ、１１０ｂを所定の操作キーに近接して形成したので、突起部１１０ａ、１１０ｂを所定の操作キーのける指標して利用することができる。
【００６３】
以上、好適な実施形態について説明したが、本発明は上述した実施形態に限定されることなく種々の形態で実施することができる。例えば、本実施形態において、電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【図面の簡単な説明】
【００６４】
【図１】携帯電話機１における開状態の外観斜視図である。
【図２】携帯電話機１における閉状態の外観斜視図である。
【図３】操作部側筐体２に内蔵される部材の分解斜視図である。
【図４】表示部側筐体３に内蔵される部材の分解斜視図である。
【図５】突起部１１０ａを説明するための部分拡大図である。
【図６】突起部１１０ｂを説明するための部分拡大図である。
【図７】図２におけるＸ―Ｘ断面図である。
【符号の説明】
【００６５】
１                  携帯電話機
２                  操作部側筐体
２Ａ                操作面
３                  表示部側筐体
３Ａ                表示面
３ａ                フロントパネル
３ｂ                フロントケース
３ｃ                リアケース
３ｄ                リアパネル
４                  連結部
１１                操作キー群
２１                表示部
１１０ａ、１１０ｂ  突起部
１２０ａ、１２０ｂ  当接部（対向部）
１３０ａ、１３０ｂ  傾斜部
２０５              保持部
Ｘ                  幅方向
Ｚ                  厚さ方向
【図１】
2009260461.tif 000003
【図２】
2009260461.tif 000004
【図３】
2009260461.tif 000005
【図４】
2009260461.tif 000006
【図５】
2009260461.tif 000007
【図６】
2009260461.tif 000008
【図７】
2009260461.tif 000009